(57)【要約】本発明は、無線ＬＡＮ（ＷＬＡＮ）でホワイトスペースマップ（ＷＳＭ）情報を伝送する方法に関する。また、本発明は、無線地域ネットワークで免許機器と無免許機器が共に動作するように許容された規制ドメインで第１のステーションから第２のステーションにホワイトスペースマップ（ＷＳＭ）情報を伝送する方法において、規制データベースから複数の位置での可用チャンネルの第１のリストを獲得すること；複数の位置での前記可用チャンネルの第１のリストを用いてホワイトスペースゾーン（ＷＳＺ）での可用チャンネルの第２のリストを決定すること；及びビーコンフレーム、プローブ応答フレーム及びＷＳＭ要素を構成するホワイトスペースマップ放送フレームのうち一つを前記第２のステーションに伝送することを含み、前記ＷＳＺは、共用可用チャンネルが設定された地域的位置である、ホワイトスペースマップ情報伝送方法である。【選択図】図５
2013524611.tif 000002
【特許請求の範囲】
【請求項１】
無線ＬＡＮ（ｗｉｒｅｌｅｓｓ  ｌｏｃａｌ  ａｒｅａ  ｎｅｔｗｏｒｋ、ＷＬＡＮ）システムで免許機器と無免許機器が共に動作するように許容された規制ドメインで第１のステーションから第２のステーションにホワイトスペースマップ（ｗｈｉｔｅ  ｓｐａｃｅ  ｍａｐ、ＷＳＭ）情報を伝送する方法において、
規制データベースから複数の位置での可用チャンネルの第１のリストを獲得すること；
複数の位置での前記可用チャンネルの第１のリストを用いてホワイトスペースゾーン（ｗｈｉｔｅ  ｓｐａｃｅ  ｚｏｎｅ、ＷＳＺ）での可用チャンネルの第２のリストを決定すること；及び
ビーコンフレーム、プローブ応答フレーム及びＷＳＭ要素を構成するホワイトスペースマップ放送フレームのうち一つを前記第２のステーションに伝送することを含み、
前記ＷＳＺは、共用可用チャンネルが設定された地域的位置である、ホワイトスペースマップ情報伝送方法。
【請求項２】
前記ＷＳＺは前記第１のステーション又は前記第２のステーションによって決定された、請求項１に記載のホワイトスペースマップ情報伝送方法。
【請求項３】
前記ＷＳＺでの可用チャンネルは、前記複数の位置での可用チャンネルの共用チャンネルである、請求項１に記載のホワイトスペースマップ情報伝送方法。
【請求項４】
前記ＷＳＭ要素は、ＷＳＺでの特定地点の位置情報を示す登録された位置フィールド、及びＷＳＺ領域を示すホワイトスペースゾーン領域フィールドを含み、前記登録された位置フィールド及び前記ホワイトスペースゾーン領域フィールドは前記ＷＳＺを特定する、請求項１に記載のホワイトスペースマップ情報伝送方法。
【請求項５】
前記登録された位置フィールドは、３次元座標として表現される地理的位置情報に設定された、請求項４に記載のホワイトスペースマップ情報伝送方法。
【請求項６】
前記第１のステーションは、前記第１のステーションの地理的位置確認及び規制データベース接続能力を用いて前記ＷＳＺでの可用チャンネルを決定する活性化ステーションである、請求項１に記載のホワイトスペースマップ情報伝送方法。
【請求項７】
前記第２のステーションは、活性化ステーションから前記可用チャンネルの第２のリストを受信する依存的ステーションである、請求項６に記載のホワイトスペースマップ情報伝送方法。
【請求項８】
無線ＬＡＮ（ｗｉｒｅｌｅｓｓ  ｌｏｃａｌ  ａｒｅａ  ｎｅｔｗｏｒｋ、ＷＬＡＮ）システムで免許機器と無免許機器が共に動作するように許容された規制ドメインで第１のステーションから第２のステーションにホワイトスペースマップ（ｗｈｉｔｅ  ｓｐａｃｅ  ｍａｐ、ＷＳＭ）情報を伝送する装置において、
規制データベースから複数の位置での可用チャンネルの第１のリストを獲得し、複数の位置での前記可用チャンネルの第１のリストを用いてホワイトスペースゾーン（ｗｈｉｔｅ  ｓｐａｃｅ  ｚｏｎｅ、ＷＳＺ）での可用チャンネルの第２のリストを決定するように構成されたプロセッサと、
ビーコンフレーム、プローブ応答フレーム及びＷＳＭ要素を構成するホワイトスペースマップ放送フレームのうち一つを前記第２のステーションに伝送するように構成された送受信部と、を含んで構成され、
前記ＷＳＭ要素は、前記ＷＳＺの情報及び可用チャンネルの第２のリストを含み、
前記ＷＳＺは、共用可用チャンネルが設定された地域的位置である、ホワイトスペースマップ情報伝送装置。
【請求項９】
前記ＷＳＺは前記第１のステーション又は前記第２のステーションによって決定された、請求項８に記載のホワイトスペースマップ情報伝送装置。
【請求項１０】
前記ＷＳＺでの可用チャンネルは、前記複数の位置での可用チャンネルの共用チャンネルである、請求項８に記載のホワイトスペースマップ情報伝送装置。
【請求項１１】
前記ＷＳＭ要素は、ＷＳＺでの特定地点の位置情報を示す登録された位置フィールド、及びＷＳＺ領域を示すホワイトスペースゾーン領域フィールドを含み、前記登録された位置フィールド及び前記ホワイトスペースゾーン領域フィールドは前記ＷＳＺを特定する、請求項８に記載のホワイトスペースマップ情報伝送装置。
【請求項１２】
前記登録された位置フィールドは、３次元座標として表現される地理的位置情報に設定された、請求項１１に記載のホワイトスペースマップ情報伝送装置。
【請求項１３】
無線ＬＡＮ（ｗｉｒｅｌｅｓｓ  ｌｏｃａｌ  ａｒｅａ  ｎｅｔｗｏｒｋ、ＷＬＡＮ）システムで免許機器と無免許機器が共に動作するように許容された規制ドメインで第１のステーションから第２のステーションでホワイトスペースマップ（ｗｈｉｔｅ  ｓｐａｃｅ  ｍａｐ、ＷＳＭ）情報を伝送する方法において、
ホワイトスペースゾーン（ｗｈｉｔｅ  ｓｐａｃｅ  ｚｏｎｅ、ＷＳＺ）の情報を含むＷＳＭ要請フレームを前記第２のステーションから受信すること；
規制データベースから複数の位置での可用チャンネルの第１のリストを獲得すること；
前記可用チャンネルの第１のリストを用いてＷＳＺでの可用チャンネルの第２のリストを決定すること；及び
前記ＷＳＺでの前記可用チャンネルの第２のリストを含むＷＳＭ応答フレームを前記第２のステーションに伝送することを含み、
前記ＷＳＺは、共用可用チャンネルが設定された地域的位置である、ホワイトスペースマップ情報伝送方法。
【請求項１４】
前記ＷＳＺは前記第２のステーションによって決定された、請求項１３に記載のホワイトスペースマップ情報伝送方法。
【請求項１５】
前記ＷＳＺでの可用チャンネルは、前記複数の位置での可用チャンネルの共用チャンネルである、請求項１３に記載のホワイトスペースマップ情報伝送方法。
【発明の詳細な説明】
【技術分野】
【０００１】
本発明は、無線ＬＡＮシステムに関し、より詳細には、無線ＬＡＮシステムでのホワイトスペースマップ情報伝送方法及び装置に関する。
【背景技術】
【０００２】
無線ＬＡＮ（ｗｉｒｅｌｅｓｓ  ｌｏｃａｌ  ａｒｅａ  ｎｅｔｗｏｒｋ、ＷＬＡＮ）技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ８０２．１１ａ及びｂは、２．４ＧＨｚ又は５ＧＨｚで無免許帯域を利用し、ＩＥＥＥ８０２．１１ｂは１１Ｍｂｐｓの伝送速度を提供し、ＩＥＥＥ８０２．１１ａは５４Ｍｂｐｓの伝送速度を提供する。ＩＥＥＥ８０２．１１ｇは、２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ、ＯＦＤＭ）を適用し、５４Ｍｂｐｓの伝送速度を提供する。ＩＥＥＥ８０２．１１ｎは多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用し、４個の空間的なストリームに対して３００Ｍｂｐｓの伝送速度を提供する。ＩＥＥＥ８０２．１１ｎではチャンネル帯域幅を４０ＭＨｚまでサポートし、この場合は６００Ｍｂｐｓの伝送速度を提供する。
【０００３】
現在、ＴＶホワイトスペース（ＴＶ  ｗｈｉｔｅｓｐａｃｅ、ＴＶＷＳ）帯域で無免許機器の動作を規定するためのＩＥＥＥ８０２．１１ａｆ標準が開発されている。
【０００４】
ＴＶＷＳは、ブロードキャストＴＶに割り当てられた周波数としてＵＨＦ（Ｕｌｔｒａ  Ｈｉｇｈ  Ｆｒｅｑｕｅｎｃｙ）帯域及びＶＨＦ（ｖｅｒｙ  ｈｉｇｈ  ｆｒｅｑｕｅｎｃｙ）帯域を含み、該当の周波数帯域で動作する免許機器の通信を阻害しないという条件下で無免許機器の使用が許可された周波数帯域を意味する。無免許機器で使用が許可された周波数帯域は、各国ごとに異なる形で定義することができる。一般に、この周波数帯域は、大韓民国及び米国で５４〜６９８ＭＨｚを構成し、この周波数帯域の一部は、無免許機器のために使用することができない。ここで、免許機器は、このような周波数帯域で許容されたユーザーの装置を意味し、免許機器は、既存ユーザー（ｉｎｃｕｍｂｅｎｔ  ｕｓｅｒ）又はプライマリユーザー（ｐｒｉｍａｒｙ  ｕｓｅｒ）と称することもできる。以下では、既存ユーザーは、これら用語を代表して使用することができる。
【０００５】
５１２〜６０８ＭＨｚ、６１４〜６９８ＭＨｚでは、特殊ないくつかの場合を除いて、全ての無免許機器の動作が許容されるが、５４〜６０ＭＨｚ、７６〜８８ＭＨｚ、１７４〜２１６ＭＨｚ、４７０〜５１２ＭＨｚ帯域では、固定された機器間の通信のみが許容される。
【０００６】
ＴＶＷＳの使用を望む無免許機器は、前記無免許機器の位置で可用チャンネルリストのための情報を得るべきである。以下では、ＩＥＥＥ８０２．１１ＭＡＣ（ｍｅｄｉａ  ａｃｃｅｓｓ  ｃｏｎｔｒｏｌ）及び物理階層（ｐｈｙｓｉｃａｌ  ｌａｙｅｒ、ＰＨＹ）を使用して動作する無免許機器をＴＶＷＳターミナルと称することができる。
【０００７】
無免許機器は、既存ユーザーのための保護メカニズムを提供しなければならない。すなわち、前記無免許機器は、無線マイクロフォンなどの既存ユーザーが特定チャンネルを使用している場合、特定チャンネルの使用を中止しなければならない。
【０００８】
このために、無免許機器は、インターネット又は専用網を介して地域−位置データベース（ｇｅｏ−ｌｏｃａｔｉｏｎ  ｄａｔａｂａｓｅ）に接続し、該当の地域で可用チャンネルリスト情報を得るべきである。地域−位置データベースは、自分に登録された免許機器の情報と、登録された各免許機器の地理的位置及び使用時間によって動的に変化するチャンネル使用情報を格納して管理するデータベースである。
【０００９】
また、無免許機器は、スペクトルセンシング（ｓｐｅｃｔｒｕｍ  ｓｅｎｓｉｎｇ）を行い、該当の帯域が免許機器によって使用されているかどうかを確認することもできる。スペクトルセンシングメカニズムには、エネルギー検出方式及び特徴検出方式などがある。このようなメカニズムを使用することによって、無免許機器は、特定チャンネルで主な信号の強度が一定レベル以上であるか、ＤＴＶプリアンブルが検出されると、既存ユーザーによって特定チャンネルが使用されていると判断することができる。そして、現在使用中のチャンネルと直ぐ隣接しているチャンネルで既存ユーザーが使用されていると判断されると、無免許機器（ステーション又はアクセスポイント）は伝送電力を低下させなければならない。
【００１０】
前記関連技術によって、無免許機器は、一定距離以上に移動する場合、新しい可用チャンネルリストを得るべきである。したがって、可用チャンネルリストを得るためのオーバーヘッドが発生するという問題がある。
【発明の概要】
【発明が解決しようとする課題】
【００１１】
本発明の目的は、可用チャンネルリストを獲得するためのオーバーヘッドを減少できる可用チャンネルリストを伝送する方法を提供することにある。
【００１２】
本発明の目的は、上述した目的に制限されず、本発明の詳細な説明で引用される多様な目的を含む。
【課題を解決するための手段】
【００１３】
本発明の一様相は、規制データベースから複数の位置での可用チャンネルの第１のリストを得るために構成される無線ＬＡＮで免許機器と無免許機器が全て動作するように許容される、規制ドメインで第１のステーション（ＳＴＡ）から第２のＳＴＡにホワイトスペースマップ情報を伝送する方法において、複数の位置での可用チャンネルの第１のリストを用いるホワイトスペースゾーン（ＷＳＺ）での可用チャンネルの第２のリストを決定すること；及びビーコン（ｂｅａｃｏｎ）フレーム、プローブ応答フレーム及びホワイトスペース要素を含むホワイトスペースマップ放送（ｗｈｉｔｅｓｐａｃｅ  ｍａｐ  ａｎｎｏｕｎｃｅｍｅｎｔ）フレームのうち一つを第２のＳＴＡに伝送することを含み、前記ホワイトスペース要素は、ＷＳＺ情報及び可用チャンネルの第２のリストを含み、ＷＳＺは、共通的に利用可能なチャンネルがセッティングされた地理的位置である、ホワイトスペースマップ情報伝送方法を提供する。
【００１４】
また、ＷＳＺは、第１のＳＴＡ又は第２のＳＴＡによって決定することができる。
【００１５】
また、ＷＳＺでの可用チャンネルは、複数の位置での可用チャンネルの共用チャンネルであり得る。
【００１６】
また、ＷＳＺ要素は、ＷＳＺでの特定ポイントの位置情報を示す登録された地域フィールド、及びＷＳＺの領域を示すホワイトスペースゾーン領域フィールドを含むことができる。ここで、登録された地域フィールド及びホワイトスペースゾーン領域フィールドは共にＷＳＺを特定する。
【００１７】
また、登録された地域フィールドは、３次元座標として表現される地域−位置（ｇｅｏ−ｌｏｃａｔｉｏｎ）情報に設定することができる。
【００１８】
本発明の他の様相は、無線ＬＡＮで免許機器と無免許機器が全て動作するように許容される、規制ドメインで第１のステーション（ＳＴＡ）から第２のＳＴＡにホワイトスペースマップ情報を伝送する装置において、規制データベースから複数の位置での可用チャンネルの第１のリストを得て、前記複数の位置での可用チャンネルの第１のリストを用いてホワイトスペースゾーン（ＷＳＺ）での可用チャンネルの第２のリストを決定するように制御するプロセッサと、ビーコンフレーム、プローブ応答フレーム及びホワイトスペース要素を含むホワイトスペースマップ放送フレームのうち一つを第２のＳＴＡに伝送するように構成された送信機とを含み、前記ホワイトスペース要素は、ＷＳＺ情報及び可用チャンネルの第２のリストを含み、ＷＳＺは、共通的に利用可能なチャンネルがセッティングされた地理的位置である、ホワイトスペースマップ情報伝送装置を提供する。
【００１９】
本発明の更に他の様相は、無線ＬＡＮで免許機器と無免許機器が全て動作するように許容される、規制ドメインで第１のステーション（ＳＴＡ）から第２のＳＴＡにホワイトスペースマップ情報を伝送する方法において、第２のＳＴＡからホワイトスペース領域の情報を含むホワイトスペースマップ（ＷＳＭ）要請フレームを受信すること；規制データベースからＷＳＺでの複数の位置での可用チャンネルの第１のリストを得ること；前記第１のリストを用いて前記ＷＳＺでの可用チャンネルの第２のリストを決定すること；及び前記ＷＳＺでの第２の可用チャンネルリストを含むＷＳＭ応答フレームを第２のＳＴＡに伝送することを含み、前記ＷＳＺは共通の可用チャンネルを設定した地理的位置である、ホワイトスペースマップ情報伝送方法である。
【００２０】
また、前記ＷＳＺは第２のＳＴＡによって決定される。
【００２１】
また、前記ＷＳＺでの可用チャンネルは、複数の位置での可用チャンネルの共通チャンネルである。
【発明の効果】
【００２２】
本発明の各実施例によると、ＷＳＺ内で移動する間、ＷＳＺでの各可用チャンネルで依存的ＳＴＡが動作可能であるので、可用チャンネルリストを獲得するためのオーバーヘッドを減少させることができる。
【００２３】
本発明で得られる効果は、以上言及した各効果に制限されず、言及していない他の効果は、下記の記載から本発明の属する技術分野で通常の知識を有する者に明確に理解されるだろう。
【図面の簡単な説明】
【００２４】
【図１】ＩＥＥＥ８０２．１１システムの構成の一例を示した図である。
【図２】ＤＳ、ＤＳＭ及びＡＰ構成が追加されたＩＥＥＥ８０２．１１システムの構成の他の一例を示した図である。
【図３】ＥＳＳコンセプトを説明するためのＩＥＥＥ８０２．１１システムの構成の他の例を示した図である。
【図４】無線ＬＡＮシステムのより良い理解のためのシステムの構成の他の例を示した図である。
【図５】本発明の一実施例に係るＷＳＭ情報を伝送するための方法を示すフローチャートである。
【図６】例示的なＷＳＺを示した図である。
【図７】本発明の一実施形態を説明するためのＷＳＭ要素の一例を示した図である。
【図８】本発明の一実施形態を説明するためのチャンネルマップフィールドを具体的に示した図である。
【図９】登録位置フィールドの一例を示した図である。
【図１０】ホワイトスペースゾーンを説明するための図である。
【図１１】本発明の第１の実施形態に係るＷＳＭ情報を伝送するための方法を示す本発明の第２の実施形態を説明するためのフローチャートである。
【図１２】依存的なＳＴＡによるＷＳＺセットを示した図である。
【図１３】本発明の一実施形態を実施するための無線装置の概略的なブロックダイヤグラムである。
【図１４】本発明の一実施形態に係るＳＴＡ装置のためのプロセッサ構造を示した図である。
【発明を実施するための形態】
【００２５】
以下、本発明に係る好適な実施形態を添付の図面を参照して詳細に説明する。添付の図面と共に以下で開示する詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項がなくても実施可能であることが分かる。
【００２６】
一方、いくつかの場合、本発明の概念が曖昧になることを避けるために、公知の構造及び装置は省略されたり、各構造及び装置の核心機能を中心にしたブロック図の形式で図示される。また、本明細書全体にわたって同一の構成要素については同一の図面符号を使用して説明する。
【００２７】
まず、本発明の実施例が適用され得る無線ＬＡＮシステムの一般的な構成について説明する。
【００２８】
図１は、ＩＥＥＥ８０２．１１システムの構成の一例を示した図である。
【００２９】
ＩＥＥＥ８０２．１１構造は、上位階層に透明にＳＴＡ移動性をサポートするＷＬＡＮを提供するためのいくつかのコンポーネントで構成される。基本サービスセット（Ｂａｓｉｃ  Ｓｅｒｖｉｃｅ  Ｓｅｔ、ＢＳＳ）は、ＩＥＥＥ８０２．１１ＬＡＮの基本的なビルディング（ｂｕｉｌｄｉｎｇ）ブロックである。
【００３０】
図１を参照すると、２個のＢＳＳを示しており、各ＢＳＳは、ＢＳＳのメンバーである２個のＳＴＡで構成されている。ＢＳＳのメンバーであるＳＴＡがカバレッジ（ｃｏｖｅｒａｇｅ）地域で互いに通信できるＢＳＳを描写するのに使用される楕円が有用である（このような地域的コンセプトは度々充分に有用である）。この地域は、基本サービス地域（Ｂａｓｉｃ  Ｓｅｒｖｉｃｅ  Ａｒｅａ、ＢＳＡ）という。ＳＴＡが前記ＢＳＡを逸脱するように移動すると、これ以上ＢＳＡで他のＳＴＡとダイレクトに通信を行うことができない。
【００３１】
独立的な（Ｉｎｄｅｐｅｎｄｅｎｔ）ＢＳＳ（ＩＢＳＳ）は、ＩＥＥＥ８０２．１１ＬＡＮの最も基本的な類型である。最小のＩＥＥＥ８０２．１１ＬＡＮは、少なくとも二つのＳＴＡで構成することができる。図１において、ＢＳＳは、図２に比べて簡単かつ少ない他の構成要素を有しているので、前記二つのＩＢＳＳを代表して行うことができる。ＩＥＥＥ８０２．１１が直接的に通信可能であるとき、このような動作モードは可能である。ＩＥＥＥ８０２．１１ＬＡＮの類型は、度々予め計画せずに形成されるので、ＬＡＮが必要な限り、このような動作類型をアドホックネットワーク（ａｄ  ｈｏｃ  ｎｅｔｗｏｒｋ）と称する。
【００３２】
ＢＳＳでのＳＴＡのメンバーシップは動的である（ＳＴＡのターンオン、ターンオフ、領域内に入り、領域から出ること）。ＢＳＳのメンバーになるために、ＳＴＡは、同期化プロシージャを用いてＢＳＳに加入する。インフラストラクチャーＢＳＳの全てのサービスに接続するために、ＳＴＡは関連していなければならない。このような関連は動的であり、分配システムサービス（ｄｉｓｔｒｉｂｕｔｉｏｎ  ｓｙｓｔｅｍ  ｓｅｒｖｉｃｅ、ＤＳＳ）の使用を含む。
【００３３】
図２は、前記ＩＥＥＥ８０２．１１構造ピクチャーにＤＳ、ＤＳＭ及びＡＰ構成要素が追加されたＩＥＥＥ８０２．１１システムの更に他の実施構造である。
【００３４】
ＰＨＹ制限は、サポート可能な直接的なステーションとステーションとの間の距離（ｓｔａｔｉｏｎ−ｔｏ−ｓｔａｔｉｏｎ  ｄｉｓｔａｎｃｅ）を決定する。あるネットワークに対して前記距離は十分であり、他のネットワークでは増加したカバレッジが要求される。独立的に存在する代わりに、ＢＳＳは、複数のＢＳＳによって設置されたネットワークの拡張された形態の構成要素を形成することができる。前記各ＢＳＳを互いに連結するために使用されるアーキテクチャの（ａｒｃｈｉｔｅｃｔｕｒａｌ）構成要素は分配システム（Ｄｉｓｔｒｉｂｕｔｉｏｎ  Ｓｙｓｔｅｍ、ＤＳ）である。
【００３５】
ＩＥＥＥ標準（ｓｔａｎｄａｒｄ）８０２．１１は、論理的に分配システム（Ｄｉｓｔｒｉｂｕｔｉｏｎ  Ｓｙｓｔｅｍ  Ｍｅｄｉｕｍ、ＤＳＭ）から無線媒体（ｗｉｒｅｌｅｓｓ  Ｍｅｄｉｕｍ、ＷＭ）を分離する。各論理的媒体は、前記アーキテクチャの他の構成要素によって他の目的のために使用される。前記ＩＥＥＥ標準８０２．１１の定義は、マルチメディアと同一又は異なるものを阻害又は要求しない。
【００３６】
マルチメディアが論理的に異なるという認知は、前記アーキテクチャの流動性を理解するのに重要な要素である。前記ＩＥＥＥ８０２．１１ＬＡＮアーキテクチャでは、特定実行の物理的特徴が独立的に特定される。
【００３７】
前記ＤＳは、複数のＢＳＳのシームレスな統合及び目的マッピングにアドレスを取り扱うために必要な地域的サービスを提供し、モバイル装置のサポートを可能にする。
【００３８】
ＡＰは、ＳＴＡ機能性を有するエンティティであり、統合されたＳＴＡのためのＷＭを通して前記ＤＳに接続できるようにする。
【００３９】
データは、一つのＡＰを通してＤＳとＢＳＳとの間で移動する。また、全てのＡＰはＳＴＡである。したがって、ＡＰやＳＴＡはアドレス可能なエンティティである。ＷＭ及びＤＳＭ上で通信のためにＡＰによって使用される住所は同一である必要はない。
【００４０】
統合された各ＳＴＡのうち一つによってＡＰのＳＴＡに送られたデータは、ＩＥＥＥ８０２．１Ｘポート接続エンティティによってプロセッシングされた制御されていないポートで常に受信される。さらに、制御されたポートに権限がある場合、このような各フレームは概念的にＤＳに伝送される。
【００４１】
以下では、大きなカバレッジネットワークのための拡張されたサービスセット（ＥＳＳ）を説明する。
【００４２】
図３は、ＥＳＳのコンセプトを説明するためのＩＥＥＥ８０２．１１システムの更に他の実施例を示す構造である。ＤＳとＢＳＳは、任意の大きさ及び複雑性を有する無線ネットワークをＩＥＥＥ８０２．１１標準で許容する。ＩＥＥＥ８０２．１１標準は、ＥＳＳネットワークとして、このようなタイプのネットワークをいう。ＥＳＳは、ＤＳによって連結された各ＢＳＳの集合である。ＥＳＳはＤＳを含まない。重要な概念は、ＥＳＳネットワークがＩＢＳＳネットワークとしてＬＬＣ（Ｌｏｇｉｃａｌ  Ｌｉｎｋ  Ｃｏｎｔｒｏｌ）レイヤーと同一に見えることである。ＥＳＳ内の各ＳＴＡは通信することができ、各モバイルＳＴＡは、一つのＢＳＳから他のＢＳＳに（同一のＥＳＳ内で）ＬＬＣに透明に移動することができる。
【００４３】
図３で、各ＢＳＳの物理的位置に対してＩＥＥＥ８０２．１１標準で推定されることはない。次の全てのものは可能である。
【００４４】
前記ＢＳＳは、部分的にオーバーラップすることができる。これは、物理的ボリューム内で継続的なカバレッジを管理するのに共通的に使用される。
【００４５】
前記ＢＳＳは物理的に連結されないこともある。論理的に各ＢＳＳ間の距離には制限がない。前記各ＢＳＳは物理的に並んで配列することができる。
【００４６】
一つ又はそれ以上のＩＢＳＳ又はＥＳＳネットワークは、一つ又はそれ以上のＥＳＳネットワークとして、物理的に同一の空間に存在することができる。これには、多くの理由がある。アドホックネットワークが一つのＥＳＳネットワークを有する地域で動作しているとき、物理的にオーバーラップされるＩＥＥＥ８０２．１１ネットワークが他の機関によって設定されるとき、そして、二つ又はそれ以上の他の接続及び保安政策が同一の地域で必要なときを例に挙げることができる。
【００４７】
図４は、ＷＬＡＮシステムをより良く理解するためのシステム構造の例を示す。図４は、ＤＳを含むＢＳＳインフラ構造の例である。そして、ＢＳＳ１とＢＳＳ２はＥＳＳを構成する。ＷＬＡＮシステムで、ＳＴＡは、ＩＥＥＥ８０２．１１のＭＡＣ／ＰＨＹ規定によって動作する機器であり、ＡＰ  ＳＴＡと、ラップトップコンピューター、モバイルフォンなどの非ＡＰ  ＳＴＡとを含む。度々ユーザーが直接調整する前記機器は非ＡＰ  ＳＴＡである。後述する非ＡＰ  ＳＴＡは、ターミナル、ＷＴＲＵ（Ｗｉｒｅｌｅｓｓ  Ｔｒａｎｓｍｉｔ／Ｒｅｃｅｉｖｅ  Ｕｎｉｔ）、ＵＥ（Ｕｓｅｒ  Ｅｑｕｉｐｍｅｎｔ）、ＭＳ（Ｍｏｂｉｌｅ  Ｓｔａｔｉｏｎ）、モバイルターミナル（Ｍｏｂｉｌｅ  Ｔｅｒｍｉｎａｌ）、モバイル加入者ユニット（Ｍｏｂｉｌｅ  Ｓｕｂｓｃｒｉｂｅｒ  Ｕｎｉｔ）と称することもできる。また、ＴＶＷＳスペクトル内で動作可能な非ＡＰ  ＳＴＡは、「Ｎｏｎ−ＡＰ  ＷＳ  ＳＴＡ」又は「ＷＳ  ＳＴＡ」と称することができる。ＡＰは、無線通信の他のフィールドでＢＳ（Ｂａｓｅ  Ｓｔａｔｉｏｎ）、Ｎｏｄｅ−Ｂ、ＢＴＳ（Ｂａｓｅ  Ｔｒａｎｓｃｅｉｖｅｒ  Ｓｙｓｔｅｍ）、又はフェムト（Ｆｅｍｔｏ）  ＢＳに対応することができる。ＴＶＷＳ内で動作可能なＡＰはＷＳ  ＡＰと称することができる。
【００４８】
以下では、本発明の一実施例に対応するホワイトスペースマップ（ＷＳＭ、Ｗｈｉｔｅ  Ｓｐａｃｅ  Ｍａｐ）情報を伝送する方法を説明する。
【００４９】
第一に、ＷＳＭの必要性を説明する。
【００５０】
未登録機器としてＴＶＷＳで動作するために、ＳＴＡは、連結されるネットワークを探すべきである。このプロセスの類型をスキャニングという。ＩＥＥＥ８０２．１１で、スキャニングプロセスには二つの類型がある。一つは受動的スキャニングプロセスで、他の一つは能動的スキャニングプロセスである。
【００５１】
受動的スケニング方法で、スキャニングするＳＴＡは、チャンネルリストで各チャンネルを移動する間、周期的にＡＰから伝送されるビーコンフレームを受信し、対応するチャンネルでＡＰ動作に関する情報を得る。前記チャンネルリストは、ＢＳＳのためにスキャニングをするときに説明された各チャンネルのリストである。
【００５２】
能動的スキャニング方法で、スキャニングするＳＴＡは、チャンネルリストで各チャンネルを移動する間、プローブ要請フレームをブロードキャストし、適切な応答を待つ。プローブ要請フレームを受信したＡＰは、スキャニングするＳＴＡにプローブ応答フレームを伝送する。前記プローブ応答フレームは、ＢＳＳのための動作パラメーター（例えば、ＡＰの能力情報要素、ＨＴ動作要素、ＥＤＣＡパラメーターセット要素など）を含む。
【００５３】
能動的スキャンでの遅延及びパワー消耗は、受動的スキャンの場合より低い。
【００５４】
ＴＶＷＳでＩＥＥＥ８０２．１１  ＴＶＷＳプロトコルによって使用されるチャンネル帯域幅がデジタルＴＶによって使用されるチャンネル帯域幅と同一である場合、各チャンネルのチャンネル帯域幅は６ＭＨｚになるべきである。２．４ＧＨｚ及び５ＧＨｚで動作するＩＥＥＥ８０２．１１のために、前記チャンネル帯域幅は２０ＭＨｚである。これは、２．４ＧＨｚ及び／又は５ＧＨｚのチャンネルよりも、ＳＴＡによってスキャンされる数多くのチャンネルがあることを意味する。これにより、連結されるネットワークを探すためのＳＴＡのためにスキャニング時間及びパワー消耗が著しく増加し得る。
【００５５】
また、無免許機器としてＴＶＷＳで動作するために、ＳＴＡは、免許機器ユーザーを保護するためのメカニズムを有するべきである。ＴＶＷＳで最も利用可能なチャンネルを探すための最も一般的な接近は、ＳＴＡで特定チャンネル上で行われる無免許機器の有無を探すためのセンシングを行うことである。センシングという用語は、特定チャンネルでのプライマリ信号の有無を探すことであり、すなわち、利用可能なチャンネルを探すことである。一方、スキャニングは、連結されるネットワークを探すためのものである。更に他の接近は、ＴＶＷＳで利用可能なチャンネルリストを探すための外部の規制ドメインデータベース（ＤＢ）に接続することである。ＴＶＷＳのために、外部の規制ＤＢはＴＶ帯域データベースである。前記ＤＢは、特定の地理的位置での免許機器のスケジューリングのための情報を含む。
【００５６】
全ての無免許機器が可用チャンネルのための情報を得るために規制データベースに接近する場合、これは不十分であり、大きなシグナリングオーバーヘッドが発生する。したがって、本発明の実施例は、活性化ＳＴＡ及び独立的なＳＴＡに無免許機器を分類する。ＴＶＷＳで、ＳＴＡの活性化は、登録された位置サーバー（Ｒｅｇｉｓｔｅｒｅｄ  Ｌｏｃａｔｉｏｎ  Ｓｅｒｖｅｒ、ＲＬＳ）、地域的位置確認を使用する地域での可用ＴＶチャンネルを決定するＳＴＡ、及びＴＶバンドデータベース接続能力と定義される。ＴＶＷＳでの依存的（ｄｅｐｅｎｄｅｎｔ）ＳＴＡは、活性化（ｅｎａｂｌｉｎｇ）ＳＴＡ又は依存的ＡＰから利用可能なＴＶチャンネルリストを受信するＳＴＡと定義される。したがって、本発明によると、活性化ＳＴＡは、可用チャンネル内でＴＶＷＳ内で動作するために依存的ＳＴＡを許容する役割をする。これを可能にする過程をＤＳＥ（ｄｙｎａｍｉｃ  ｓｔａｔｉｏｎ  ｅｎａｂｌｅｍｅｎｔ）過程という。
【００５７】
したがって、前記活性化ＳＴＡは、規制ドメインデータベースにインターネットを介して接続可能であり、自分の地理的位置での利用可能なチャンネルリストを得ることができ、各チャンネルの利用可否を探すために、各ＳＴＡが全てのチャンネルのセンシングを行うよりは、可用チャンネルリストを他のＳＴＡに伝達することができる。ここで、規制ドメインデータベースからの可用チャンネルリストのための情報をホワイトスペースマップという。また、ＳＴＡが可用チャンネルリストを動作のためのＴＶＷＳで得る場合、前記ＳＴＡは、ＷＳＭによって利用可能でないと確認されたチャンネルでスキャニングを行う必要はない。そのため、ＤＢからＷＳＭを得て、前記ＳＷＭを伝達することによって、スキャニング時間及びパワー消耗を効率的に減少させることができる。
【００５８】
次に、本発明の一実施例に係るＷＳＭ情報を伝送する方法を図面を参考にして説明する。
【００５９】
図５は、本発明の一実施例に係るＷＳＭ情報を伝送する方法のためのフローチャートを示す。
【００６０】
図５を参照すると、活性化ＳＴＡは、規制データベースから複数の位置での可用チャンネルリストを得る（Ｓ５１０）。活性化ＳＴＡは、各位置での可用チャンネルリストを得るだけでなく、複数の位置での可用チャンネルリストを得ることもできる。
【００６１】
前記活性化ＳＴＡは、ホワイトスペースゾーン（ＷＳＺ）と複数の位置での可用チャンネルリストを用いて前記ＷＳＺでの可用チャンネルリストを決定する（Ｓ５２０）。
【００６２】
活性化ＳＴＡは、各位置での可用チャンネルリストを有する地理的位置を決定することができ、共用可用チャンネルを定めることができる。前記地理的位置は、協力セットと共に定められる境界線を有する。可用チャンネルが前記境界線で同一であるので、ＳＴＡは、可用チャンネルのリストのアップデートなしに前記境界線内に移動することができる。ＳＴＡが境界線外に移動する場合、新しい可用チャンネルリストが必要である。本文書で、前記地理的位置は、ホワイトスペースゾーン（ｗｈｉｔｅ  ｓｐａｃｅ  ｚｏｎｅ、ＷＳＺ）と命名することができる。また、依存的ＳＴＡはＷＳＺを決定することができ、活性化ＳＴＡにＷＳＺでの可用チャンネルを要請することができる。前記活性化ＳＴＡは、各位置での可用チャンネルリストを用いてＷＳＺでの可用チャンネルリストを決定することができる。ＷＳＺでの可用チャンネルリストを決定する方法には多様な方法があり得る。例えば、複数の位置での可用チャンネルの共用チャンネルは、ＷＳＺでの可用チャンネルであり得る。
【００６３】
例示的なＷＳＺを図６を参照して説明する。図６は、例示的なＷＳＺを示す。図６で、特定地域で活性化ＳＴＡによって活性化される多数の依存的ＳＴＡがある。前記複数の依存的ＳＴＡは、活性化ＳＴＡから活性化信号を受信して活性化される。
【００６４】
図６を参照すると、キャンパスには、活性化ＳＴＡと、活性化ＳＴＡによって活性化された多数の依存的ＳＴＡとがあり、前記多数の依存的ＳＴＡはキャンパス内で移動することができる。キャンパス、オフィス及びアパートなどのサービス環境内で特定地域での使用可能な共通のチャンネル情報を使用することは有用である。また、地方（ｒｕｒａｌ）地域で各位置間の可用チャンネルリストが多様でないので、地方地域でも有用であると期待される。
【００６５】
しかし、ＷＳＺは、地方地域やキャンパスに制限されず、全ての地域に適用可能である。
【００６６】
活性化ＳＴＡは、まず、ＷＳＺを決定することができ、その後、ＷＳＺでカバーされる多様な位置を選択することができる。また、活性化ＳＴＡは、予め定められた多様な位置を用いてＷＳＺを決定することができる。例えば、活性化ＳＴＡは、活性化ＳＴＡに与えられた依存的ＳＴＡの位置を用いてＷＳＺを決定することができる。
【００６７】
前記活性化ＳＴＡは、依存的ＳＴＡにビーコンフレーム、プローブ応答フレーム及びホワイトスペースマップ（ＷＳＺ）要素を構成するホワイトスペースマップ放送フレームのうち一つを伝送する。前記ＷＳＺ要素は、ＷＳＺの情報及び前記ＷＳＺでの可用チャンネルのリストを含む。
【００６８】
図７は、本発明の一実施例に係るＷＳＺ要素のフォーマットを示す。
【００６９】
図７を参照すると、ＷＳＺ要素は、要素ＩＤフィールド（Ｅｌｅｍｅｎｔ  ＩＤ  ｆｉｅｌｄ）、長さフィールド（Ｌｅｎｇｔｈ  ｆｉｅｌｄ）、国家コードフィールド（Ｃｏｕｎｔｒｙ  ｃｏｄｅ  ｆｉｅｌｄ）及びチャンネルマップフィールド（Ｃｈａｎｎｅｌ  Ｍａｐ  ｆｉｅｌｄ）を含む。
【００７０】
要素ＩＤフィールドは、ホワイトスペースマップ要素を示すことができる。前記長さフィールドは、ＷＳＭの長さに応じてオクテット単位の多様な値を有する。可用チャンネルの数と対応する最大電力レベル値が多様であるので、前記長さフィールドはＷＳＭ要素の長さを示すことができる。
【００７１】
国家コードフィールドは、ＷＳＭが使用され得る位置を示す。ＴＶ帯域、ＴＶチャンネルの帯域幅及び規制ドメインは、国ごとに多様である。国家コードは、３オクテットの国家ストリングであり得る。最初の２オクテットはＩＳＯ／ＩＥＣ３１６６−１で定義された国家コードを示し、最後の１オクテットは環境を示す。前記国家コードフィールドは国家での地域コードを含む。
【００７２】
前記チャンネルマップフィールドは可用チャンネルのリストを示す。
【００７３】
前記チャンネルマップフィールドによって定義された各可用チャンネルは、ＴＶチャンネルグラニュラリティ（ｇｒａｎｕｌａｒｉｔｙ）を持たない。しかし、各可用チャンネルは、データベースで提供された最小のチャンネルグラニュラリティを有することができる。前記ＴＶＷＳでデータベースによって提供された可用チャンネルの最小のチャンネルグラニュラリティがＴＶチャンネルグラニュラリティであると、チャンネルマップフィールドの各可用チャンネルはＴＶチャンネルグラニュラリティを有する。
【００７４】
図８は、本発明の一実施例に係るチャンネルマップフィールドのフォーマットの一例を示す。図８を参照すると、前記チャンネルマップフィールドは、機器タイプフィールド（Ｄｅｖｉｃｅ  Ｔｙｐｅ  ｆｉｅｌｄ）、チャンネルナンバーフィールド（Ｃｈａｎｎｅｌ  Ｎｕｍｂｅｒ  ｆｉｅｌｄ）、最大伝送電力レベルフィールド（Ｍａｘｉｍｕｍ  Ｔｒａｎｓｍｉｓｓｉｏｎ  Ｐｏｗｅｒ  Ｌｅｖｅｌ  ｆｉｅｌｄ）、登録位置フィールド（Ｒｅｇｉｓｔｅｒｅｄ  Ｌｏｃａｔｉｏｎ  ｆｉｅｌｄ）、ホワイトスペースゾーン領域（Ｗｈｉｔｅ  Ｓｐａｃｅ  Ｚｏｎｅ  Ｒａｎｇｅ）を含むことができる。
【００７５】
チャンネルナンバーフィールドは可用チャンネルのリストを示す。前記最大伝送電力レベルは、最大に許容された可用チャンネルの伝送電力を示す。
【００７６】
前記未登録機器がＴＶＷＳで利用可能な特定チャンネルで動作し、前記特定チャンネルに隣接するチャンネルが免許機器によって利用可能である。前記無免許機器は、前記免許機器を保護するために伝送電力を低下させなければならない。そのため、ＷＳＭ要素は、可用チャンネルリスト及び前記各可用チャンネルの最大に許容された伝送電力で構成される。
【００７７】
前記チャンネルナンバーフィールド及び最大伝送電力レベルフィールドペアは繰り返すことができる。前記機器タイプフィールドは、ＷＳＭ要素での可用チャンネルリストの機器タイプを示す。例えば、前記機器タイプフィールドは、ＷＳＭ要素での可用チャンネルリストが固定された機器のためのものであるか、それとも移動型機器のためのものであるかを示す。
【００７８】
可用チャンネル及び前記可用チャンネルの最大に許容された伝送電力は機器タイプごとに多様であり得る。固定された機器は、免許機器（ｉｎｃｕｍｂｅｎｔ  ｕｓｅｒ）によって使用されたＴＶチャンネルの隣接チャンネルを使用することができなく、移動型機器は、最大許容伝送電力を１００ｍＷから４０ｍＷに減少させるという条件下で、免許機器によって使用されたＴＶチャンネルに隣接したチャンネルを使用することができる。したがって、前記ＷＳＭ要素は、ＷＳＭでの前記可用チャンネルのための機器タイプを示す機器タイプフィールドを含まなければならない。
【００７９】
前記機器タイプは、ＷＳＭ要素を伝送するＳＴＡの機器タイプを示さず、ＷＳＭ要素を受信し、それを用いるＳＴＡ機器タイプに使用される。
【００８０】
移動可能な値に定められた機器タイプフィールドを含むＷＳＭでの可用チャンネルは固定された機器のために利用できないので、前記固定された機器は、移動型機器の値に定められた機器タイプフィールドを含むＷＳＭを使用することができない。
【００８１】
機器タイプは、周波数マスククラスによって定めることができる。スペクトルマスク（ｓｐｅｃｔｒｕｍ  ｍａｓｋ）は、無線又は光学的伝送レベルに適用されるラインの数学的に定義されたセットを意味する。前記スペクトルマスクは、必須的な帯域幅を超える周波数上での過度な放射線を制限するために、一般的に隣接チャンネル干渉を減少させる。このような非論理的放出の減衰は、帯域通過フィルタで行われ、全ての必須的な部分帯域のみならず、キャリアウェーブの正確な中心周波数を通して許容されるように調整される。
【００８２】
特定のスペクトルマスククラスを使用する機器は、特定のスペクトルマスククラスのオフセット周波数による電力スペクトルの密度の減少値を満足させなければならない。したがって、可用チャンネル及び最大許容伝送電力はＳＴＡスペクトルマスククラスによって多様である。
【００８３】
前記登録された地域フィールドは、ＷＳＺでの特定地点の位置情報を示す。前記登録された地域フィールドは、３次元座標（緯度、経度、及び高度）として表現された地理的位置情報に定めることができる。前記地域的位置フィールドは、緯度、経度、高度及びそれぞれの解像度値を含むことができる。また、活性化ＳＴＡ又は依存的ＳＴＡの該当の位置であるかを示す情報を含むことができる。本発明の一例で、登録された位置フィールドは活性化ＳＴＡの位置を示す。
【００８４】
図９は、登録された位置フィールドのフォーマットの一例を示す。図９で、依存的活性化識別子フィールド（Ｄｅｐｅｎｄｅｎｔ  Ｅｎａｂｌｅｍｅｎｔ  Ｉｄｅｎｔｉｆｉｅｒ  ｆｉｅｌｄ）、規定クラスフィールド（Ｒｅｇｕｌａｔｏｒｙ  Ｃｌａｓｓ  ｆｉｅｌｄ）、チャンネル番号フィールド（Ｃｈａｎｎｅｌ  Ｎｕｍｂｅｒ  ｆｉｅｌｄ）は留保（ｒｅｓｅｒｖｅｄ）値に設定することができる。
【００８５】
前記ホワイトスペースゾーン領域（Ｗｈｉｔｅ  Ｓｐａｃｅ  Ｚｏｎｅ  Ｒａｎｇｅ）フィールドは、ＷＳＺの領域を示す。ＷＳＺの領域は、半径又は位置ベクトルなどの多様なフォーマットとして表現することができる。前記ホワイトスペースゾーン領域フィールドは、ＷＳＺの物理的位置が登録された位置フィールド及びホワイトスペースゾーン領域フィールドの値で計算されるように設定することができる。
【００８６】
例えば、登録された位置フィールドは（ｘ１，ｙ１，ｚ１）の３次元座標に定められ、前記ホワイトスペースゾーン領域フィールドは半径に定められる。その後、ＷＳＺは（ｘ１，ｙ１，ｚ１）を球の中心とし、半径はホワイトスペースゾーン領域フィールドの値である。
【００８７】
すなわち、登録された位置フィールド及びホワイトスペースゾーン領域は共にＷＳＺを特定する。
【００８８】
図１０は、ＷＳＺの一例を示す。
【００８９】
図１０を参照すると、活性化ＳＴＡは、複数の位置での可用チャンネルリストを得て、ＷＳＺを決定する。そして、活性化ＳＴＡは、依存的ＳＴＡに登録された位置フィールド、ホワイトスペースゾーン領域フィールド及びＷＳＺでの可用チャンネルリストと共にＷＳＭ要素を伝送する。
【００９０】
ＷＳＭ要素を受信した前記依存的ＳＴＡは、登録された位置フィールドとホワイトスペース領域フィールド値と共にＷＳＺを計算する。
【００９１】
依存的ＳＴＡは、ＷＳＺで移動する間、ＷＳＺでの可用チャンネルで動作することができる。依存的ＳＴＡがＷＳＺ外に移動したとき、ＷＳＺでの可用チャンネルリストが依存的ＳＴＡにこれ以上有効でないので、可用チャンネルリストをアップデートしなければならない。
【００９２】
ＷＳＺを逸脱して移動する依存的ＳＴＡが前記活性化ＳＴＡと通信することができ、活性化された状態に維持される場合、可用チャンネルリストをアップデートするための活性化ＳＴＡのための新しい可用チャンネルリストを要請することができる。活性化ＳＴＡが一つのＷＳＺのみを提供する場合、ＷＳＺを逸脱して移動する依存的ＳＴＡは非活性化され、他の活性化ＳＴＡによって活性化されなければならない。
【００９３】
次に、本発明の第２の実施例に係るＷＳＺ情報を伝送する方法を図面を参考にして説明する。
【００９４】
図１１は、本発明の第１の実施例に係るＷＳＺ情報を伝送する方法のための第２の実施例のフローチャートである。図１１を参考にすると、活性化ＳＴＡは、依存的ＳＴＡからＷＳＺ要請フレームを受信する（Ｓ１１１０）。
【００９５】
依存的ＳＴＡはＷＳＺを設定することができ、活性化された地域にＷＳＺでの可用チャンネルを要請する。
【００９６】
図１２は、依存的ＳＴＡによって設定されたＷＳＺを示す。
【００９７】
依存的ＳＴＡはＷＳＺを設定し、ＷＳＺ内で移動する間に同一の可用チャンネルを使用するとき、活性化ＳＴＡにＷＳＺ要請フレームを伝送する。
【００９８】
表１は、ＷＳＺ要請フレームのフォーマットを示す。
【００９９】
【表１】
2013524611.tif 000003
表１を参照すると、ＷＳＭ要請フレームは、登録された位置及びホワイトスペースゾーン領域を含む。登録された位置及びホワイトスペースゾーン領域は、共に依存的ＳＴＡによって設定されたＷＳＺを特定する。例えば、登録された位置は依存的ＳＴＡの地理的位置に設定することができ、ホワイトスペースゾーン領域は、依存的ＳＴＡによって設定されたＷＳＺの半径に設定することができる。
【０１００】
活性化ＳＴＡは、登録された位置値とＷＳＭ要請フレームでのホワイトスペースゾーン領域を使用してＷＳＺを計算し、規制データベースからＷＳＺでの複数の位置での可用チャンネルリストを獲得する（Ｓ１１２０）。
【０１０１】
活性化ＳＴＡは、依存的ＳＴＡの地理的位置に基づいてＷＳＺでの複数の位置を選択することができる。
【０１０２】
前記活性化ＳＴＡは、ＷＳＺでの複数の位置での可用チャンネルリストを用いて可用チャンネルリストを決定する（Ｓ１１３０）。
【０１０３】
ＷＳＺでの可用チャンネルリストを決定する方法には多様な方法があり得る。例えば、複数の位置での可用チャンネルの共用チャンネルはＷＳＺでの可用チャンネルであり得る。
【０１０４】
前記活性化ＳＴＡは、依存的ＳＴＡにＷＳＭを含むＷＳＭ応答フレームを伝送し、前記ＷＳＭ要素は、ＷＳＺ情報及びＷＳＺでの可用チャンネルリストを含む（Ｓ１１４０）。
【０１０５】
表２は、ＷＳＭ応答フレームのフォーマットを示す。
【０１０６】
【表２】
2013524611.tif 000004
表２を参照すると、ＷＳＭ応答フレームはＷＳＭを含む。ＷＳＭは、図７及び図８で説明したＷＳＭ要素であり得る。すなわち、ＷＳＭ応答フレームは、登録された位置フィールド、ホワイトスペースゾーン領域フィールド及びチャンネルナンバーフィールドを含む。
【０１０７】
登録された位置フィールドは、依存的ＳＴＡの地理的位置に設定することができる。
【０１０８】
依存的ＳＴＡは、ＷＳＺで移動する間、ＷＳＺでの可用チャンネル上で動作することができる。依存的ＳＴＡがＷＳＺ外に移動するとき、ＷＳＺでの可用チャンネルリストがこれ以上依存的ＳＴＡに有効でないので、可用チャンネルリストをアップデートしなければならない。
【０１０９】
図１３は、本発明の一実施例を説明するための無線装置のブロックダイヤグラムである。
【０１１０】
ＡＰ７００は、プロセッサ７１０、メモリ７２０及び送受信部７３０を含むことができ、ＳＴＡ７５０は、プロセッサ７６０、メモリ７７０及び送受信部７８０を含むことができる。送受信部７３０及び７８０は無線信号を送信／受信し、ＩＥＥＥ８０２物理的階層で実行される。プロセッサ７１０及び７６０は、ＩＥＥＥ８０２物理的階層及び／又はＭＡＣ階層で実行され、送受信部７３０及び７８０と連結されている。プロセッサ７１０及び７６０は、上述したチャンネルスキャニング方法を行うことができる。
【０１１１】
プロセッサ７１０及び７６０及び／又は送受信部７３０及び７８０は、特定の集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、他のチップセット、論理回路及び／又はデータプロセッシング部を含むことができる。メモリ７２０及び７７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納ユニットを含むことができる。一実施例がソフトウェアによって実行されるとき、上述した方法は、上述した機能を行うモジュール（例えば、プロセス、機能）として実行することができる。前記モジュールは、メモリ７２０、７７０に格納することができ、プロセッサ７１０、７６０によって実行することができる。前記メモリ７２０、７７０は、前記プロセス７１０、７６０の内部又は外部に配置することができ、よく知られた手段で前記プロセス７１０、７６０と連結することができる。ＡＰ／ＳＴＡのための装置の各要素間で、プロセッサ７１０又は７６０の構造はより詳細に説明される。
【０１１２】
図１４は、本発明の一実施例に係るＳＴＡ装置のプロセッサ構造の一例を示す。
【０１１３】
プロセッサ７１０、７６０は多重階層構造を有することができ、図１４は、ＭＡＣサブ階層１４１０、データリンク階層（ＤＬＬ）及び物理階層１４２０の間に集中される。
【０１１４】
図１４を参照すると、ＰＨＹ１４２０は、ＰＬＣＰエンティティ（ｐｈｙｓｉｃａｌ  ｌａｙｅｒ  ｃｏｎｖｅｒｇｅｎｃｅ  ｐｒｏｃｅｄｕｒｅ  ｅｎｔｉｔｙ）１４２１及びＰＭＤエンティティ（ｐｈｙｓｉｃａｌ  ｍｅｄｉｕｍ  ｄｅｐｅｎｄｅｎｔ  ｅｎｔｉｔｙ）１４２２を含むことができる。ＭＡＣサブ階層１４１０及びＰＨＹ１４２０は、それぞれＭＬＭＥ（ＭＡＣ  ｓｕｂｌａｙｅｒ  Ｍａｎａｇｅｍｅｎｔ  Ｅｎｔｉｔｙ）１４１１及びＰＬＭＥ（ｐｈｙｓｉｃａｌ  ｌａｙｅｒ  ｍａｎａｇｅｍｅｎｔ  ｅｎｔｉｔｙ）１４２１という管理エンティティを概念的に含む。各エンティティ１４１１、１４２１は、階層管理機能を含んで階層管理サービスインターフェースを提供する。
【０１１５】
正確なＭＡＣ動作を提供するために、ＳＭＥ（Ｓｔａｔｉｏｎ  Ｍａｎａｇｅｍｅｎｔ  Ｅｎｔｉｔｙ）１４３０は、各ＳＴＡ内に存在する。ＳＭＥ１４３０は、独立した管理平面に存在したり、側面を逸脱して存在すると見なされる階層独立エンティティである。ＳＭＥ１４３０の正確な機能は本文書に特定されず、一般に、ＳＭＥ１４３０は、多様な階層管理エンティティ（ＬＭＥｓ）及び階層特定パラメーター値を類似する形で設定し、階層依存状態を得る機能を行えると見なされる。ＳＭＥ１４３０は、一般的なシステム管理エンティティを代表する機能を典型的に行い、標準管理プロトコルを行う。
【０１１６】
図１４での多様なエンティティは多様な方法で相互作用する。図１４は、獲得／設定（ＧＥＴ／ＳＥＴ）基礎段階の交換のいくつかの例を示す。ＸＸ−ＧＥＴ．ｒｅｑｕｅｓｔ要素は、与えられたＭＩＢ属性（ｍａｎａｇｅｍｅｎｔ  ｉｎｆｏｒｍａｔｉｏｎ  ｂａｓｅ  ａｔｔｒｉｂｕｔｅ）の値を要請するために使用される。ＸＸ−ＧＥＴ．ｃｏｎｆｉｒｍ要素は、状態が成功的である場合、適当なＭＩＢ属性を得るために使用される。そうでない場合は、状態フィールドでエラー指示を得る。ＸＸ−ＳＥＴ．ｒｅｑｕｅｓｔ要素は、与えられた値に設定された指示されたＭＩＢ属性を要請するために使用される。ＭＩＢ属性が特定の動作を行う場合、前記動作が行われるように要請される。また、状態が成功を示す場合、ＸＸ−ＳＥＴ．ｃｏｎｆｉｒｍ要素が使用される。これは、要請された値に設定された指示されたＭＩＢ属性を確認する。そうでない場合は、状態フィールドでエラー条件を得る。このようなＭＩＢ属性が特定の動作を実行すると、前記動作が行われるように確認する。
【０１１７】
図１４を参照すると、ＭＬＭＥ１４１１及びＳＭＥ１４３０は、ＭＬＭＥ＿ＳＡＰ１４５０を通して多様なＭＬＭＥ＿ＧＥＴ／ＳＥＴ要素を交換することができる。本発明の一実施例によると、ＳＭＥ１４３０は、ホワイトスペースマップ放送フレームを他のＳＴＡに伝送するためのＭＬＭＥ１４１１を要請するためにＭＬＭＥ＿ＷＳＭ．ｒｅｑｕｅｓｔ要素をＭＬＭＥ１４１１に伝送することができる。更に他の例として、ＭＬＭＥ１４１１は、他のＳＴＡからホワイトスペースマップ放送フレームの受信を示すＭＬＭＥ−ＷＳＭ．Ｉｎｄｉｃａｔｉｏｎ要素をＳＭＥ１４３０に伝送することができる。
【０１１８】
また、図１４を参考にすると、多様なＰＬＣＭ＿ＧＥＴ／ＳＥＴ要素は、ＰＬＭＥ＿ＳＡＰ１４６０を通してＰＬＭＥ１４２１とＳＭＥ１４３０との間で交換し、ＭＬＭＥ−ＰＬＭＥ＿ＳＡＰ１４７０を通してＭＬＭＥ１４１１とＰＬＭＥ１４７０との間で交換することができる。
【０１１９】
本発明の一実施例のＷＳＭ要素は、ＭＡＣ１４１０及びＰＨＹ１４２０の逐次的な手順によって伝送することができる。また、本発明の一実施例のＷＳＭ要素は、ＭＡＣ１４１０及びＰＨＹ１４２０の逐次的な手順によって受信することができる。上述したように開示された本発明の好適な実施形態に対する詳細な説明は、当業者が本発明を具現して実施できるように提供された。また、本発明がその特徴を逸脱しない範囲で他の特定の形態に具体化され得ることは当業者にとって自明である。
【図１】
2013524611.tif 000005
【図２】
2013524611.tif 000006
【図３】
2013524611.tif 000007
【図４】
2013524611.tif 000008
【図５】
2013524611.tif 000009
【図６】
2013524611.tif 000010
【図７】
2013524611.tif 000011
【図８】
2013524611.tif 000012
【図９】
2013524611.tif 000013
【図１０】
2013524611.tif 000014
【図１１】
2013524611.tif 000015
【図１２】
2013524611.tif 000016
【図１３】
2013524611.tif 000017
【図１４】
2013524611.tif 000018
【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
無線通信システムにおいて、ステーション（ＳＴＡ）にチャンネル利用可能クエリー手順を行わせる方法であって、前記方法は、
チャンネル利用可能クエリーを要請するＳＴＡに対応する第１のＳＴＡにおいて、チャンネル利用可能クエリープロセスを支持する第２のＳＴＡに第１のメッセージを伝送することであって、前記第２のＳＴＡは、チャンネル利用可能クエリーに応答するＳＴＡに対応し、前記第１のメッセージは、前記チャンネル利用可能クエリーに対する１つ以上の位置の機器位置情報を含む、ことと、
前記第２のＳＴＡから、チャンネル利用可能情報を含む第２のメッセージを受信することであって、前記第１のメッセージの前記機器位置情報が、エリア内の複数の位置に対するものである場合に、前記チャンネル利用可能情報が、前記エリア内の前記複数の位置に対して、共通に適用可能である、ことと
を含む、方法。
【請求項２】
前記機器位置情報は、前記１つ以上の位置の位置を示す登録された位置フィールドと、前記１つ以上の位置の領域を示す領域フィールドとを含む、請求項１に記載の方法。
【請求項３】
前記機器位置情報は、３次元座標として表現される位置情報を含む、請求項１に記載の方法。
【請求項４】
前記第２のステーションは、依存的ステーションの動作を制御する権限を有する活性化ステーションである、請求項１に記載の方法。
【請求項５】
前記第１のステーションは、活性化ステーションの制御の下で動作する依存的ステーションである、請求項１に記載の方法。
【請求項６】
無線ローカルエリアネットワーク（ＷＬＡＮ）において免許機器と無免許機器が共に動作するように許容された規制ドメインにおいて、第１のステーションから第２のステーションにホワイトスペースマップ情報を伝送する装置であって、前記装置は、
プロセッサと、
送受信部と
を含み、
前記プロセッサは、規制データベースから複数の位置の各々の位置での利用可能なチャンネルの第１のリストを獲得し、複数の位置の各々の位置での利用可能なチャンネルの前記第１のリストを用いてホワイトスペースゾーン（ＷＳＺ）での利用可能なチャンネルの第２のリストを決定するように構成されており、
前記送受信部は、ビーコンフレームと、プローブ応答フレームと、ホワイトスペースマップ（ＷＳＭ）要素を含むホワイトスペースマップ放送フレームとのうちの一つを前記第２のステーションに伝送するように構成されており、前記ＷＳＭ要素は、前記ＷＳＺの情報と、利用可能なチャンネルの前記第２のリストとを含み、
前記ＷＳＺは、共通の利用可能なチャンネルが設定された地理的エリアである、装置。
【請求項７】
前記ＷＳＺは、前記第１のステーション又は前記第２のステーションによって決定される、請求項６に記載の装置。
【請求項８】
前記ＷＳＺでの前記利用可能なチャンネルは、前記複数の位置の前記各々の位置での前記利用可能なチャンネルのうちの共通チャンネルである、請求項６に記載の装置。
【請求項９】
前記ＷＳＭ要素は、前記ＷＳＺにおける特定地点の位置の情報を示す登録された位置フィールドと、前記ＷＳＺの領域を示すホワイトスペースゾーン領域フィールドとを含み、前記登録された位置フィールド及び前記ホワイトスペースゾーン領域フィールドは、共に前記ＷＳＺを特定する、請求項６に記載の装置。
【請求項１０】
前記登録された位置フィールドは、３次元座標として表現される地域位置情報に設定され得る、請求項９に記載の装置。
【請求項１１】
無線ローカルエリアネットワーク（ＷＬＡＮ）において免許機器と無免許機器が共に動作するように許容された規制ドメインにおいて、第１のステーションから第２のステーションにホワイトスペースマップ情報を伝送する方法であって、前記方法は、
ホワイトスペースマップ（ＷＳＭ）要請フレームを前記第２のステーションから受信することであって、前記ＷＳＭ要請フレームは、ホワイトスペースゾーン（ＷＳＺ）の情報を含む、ことと、
規制データベースから、前記ＷＳＺにおける複数の位置の各々の位置での利用可能なチャンネルの第１のリストを獲得することと、
利用可能なチャンネルの前記第１のリストを用いて、前記ＷＳＺでの利用可能なチャンネルの第２のリストを決定することと、
前記ＷＳＺでの前記利用可能なチャンネルの前記第２のリストを含むＷＳＭ応答フレームを前記第２のステーションに伝送することと
を含み、
前記ＷＳＺは、共通の利用可能なチャンネルが設定された地理的エリアである、方法。
【請求項１２】
前記ＷＳＺは、前記第２のステーションによって決定される、請求項１１に記載の方法。
【請求項１３】
前記ＷＳＺでの前記利用可能なチャンネルは、前記複数の位置の前記各々の位置での前記利用可能なチャンネルのうちの共通のチャンネルである、請求項１１に記載の方法。
【手続補正２】
【補正対象書類名】明細書
【補正対象項目名】００２１
【補正方法】変更
【補正の内容】
【００２１】
また、前記ＷＳＺでの可用チャンネルは、複数の位置での可用チャンネルの共通チャンネルである。
本発明は、例えば以下の項目を提供する。
（項目１）
無線ＬＡＮ（ｗｉｒｅｌｅｓｓ  ｌｏｃａｌ  ａｒｅａ  ｎｅｔｗｏｒｋ、ＷＬＡＮ）システムで免許機器と無免許機器が共に動作するように許容された規制ドメインで第１のステーションから第２のステーションにホワイトスペースマップ（ｗｈｉｔｅ  ｓｐａｃｅ  ｍａｐ、ＷＳＭ）情報を伝送する方法において、
規制データベースから複数の位置での可用チャンネルの第１のリストを獲得すること；
複数の位置での前記可用チャンネルの第１のリストを用いてホワイトスペースゾーン（ｗｈｉｔｅ  ｓｐａｃｅ  ｚｏｎｅ、ＷＳＺ）での可用チャンネルの第２のリストを決定すること；及び
ビーコンフレーム、プローブ応答フレーム及びＷＳＭ要素を構成するホワイトスペースマップ放送フレームのうち一つを前記第２のステーションに伝送することを含み、
前記ＷＳＺは、共用可用チャンネルが設定された地域的位置である、ホワイトスペースマップ情報伝送方法。
（項目２）
前記ＷＳＺは前記第１のステーション又は前記第２のステーションによって決定された、項目１に記載のホワイトスペースマップ情報伝送方法。
（項目３）
前記ＷＳＺでの可用チャンネルは、前記複数の位置での可用チャンネルの共用チャンネルである、項目１に記載のホワイトスペースマップ情報伝送方法。
（項目４）
前記ＷＳＭ要素は、ＷＳＺでの特定地点の位置情報を示す登録された位置フィールド、及びＷＳＺ領域を示すホワイトスペースゾーン領域フィールドを含み、前記登録された位置フィールド及び前記ホワイトスペースゾーン領域フィールドは前記ＷＳＺを特定する、項目１に記載のホワイトスペースマップ情報伝送方法。
（項目５）
前記登録された位置フィールドは、３次元座標として表現される地理的位置情報に設定された、項目４に記載のホワイトスペースマップ情報伝送方法。
（項目６）
前記第１のステーションは、前記第１のステーションの地理的位置確認及び規制データベース接続能力を用いて前記ＷＳＺでの可用チャンネルを決定する活性化ステーションである、項目１に記載のホワイトスペースマップ情報伝送方法。
（項目７）
前記第２のステーションは、活性化ステーションから前記可用チャンネルの第２のリストを受信する依存的ステーションである、項目６に記載のホワイトスペースマップ情報伝送方法。
（項目８）
無線ＬＡＮ（ｗｉｒｅｌｅｓｓ  ｌｏｃａｌ  ａｒｅａ  ｎｅｔｗｏｒｋ、ＷＬＡＮ）システムで免許機器と無免許機器が共に動作するように許容された規制ドメインで第１のステーションから第２のステーションにホワイトスペースマップ（ｗｈｉｔｅ  ｓｐａｃｅ  ｍａｐ、ＷＳＭ）情報を伝送する装置において、
規制データベースから複数の位置での可用チャンネルの第１のリストを獲得し、複数の位置での前記可用チャンネルの第１のリストを用いてホワイトスペースゾーン（ｗｈｉｔｅ  ｓｐａｃｅ  ｚｏｎｅ、ＷＳＺ）での可用チャンネルの第２のリストを決定するように構成されたプロセッサと、
ビーコンフレーム、プローブ応答フレーム及びＷＳＭ要素を構成するホワイトスペースマップ放送フレームのうち一つを前記第２のステーションに伝送するように構成された送受信部と、を含んで構成され、
前記ＷＳＭ要素は、前記ＷＳＺの情報及び可用チャンネルの第２のリストを含み、
前記ＷＳＺは、共用可用チャンネルが設定された地域的位置である、ホワイトスペースマップ情報伝送装置。
（項目９）
前記ＷＳＺは前記第１のステーション又は前記第２のステーションによって決定された、項目８に記載のホワイトスペースマップ情報伝送装置。
（項目１０）
前記ＷＳＺでの可用チャンネルは、前記複数の位置での可用チャンネルの共用チャンネルである、項目８に記載のホワイトスペースマップ情報伝送装置。
（項目１１）
前記ＷＳＭ要素は、ＷＳＺでの特定地点の位置情報を示す登録された位置フィールド、及びＷＳＺ領域を示すホワイトスペースゾーン領域フィールドを含み、前記登録された位置フィールド及び前記ホワイトスペースゾーン領域フィールドは前記ＷＳＺを特定する、項目８に記載のホワイトスペースマップ情報伝送装置。
（項目１２）
前記登録された位置フィールドは、３次元座標として表現される地理的位置情報に設定された、項目１１に記載のホワイトスペースマップ情報伝送装置。
（項目１３）
無線ＬＡＮ（ｗｉｒｅｌｅｓｓ  ｌｏｃａｌ  ａｒｅａ  ｎｅｔｗｏｒｋ、ＷＬＡＮ）システムで免許機器と無免許機器が共に動作するように許容された規制ドメインで第１のステーションから第２のステーションでホワイトスペースマップ（ｗｈｉｔｅ  ｓｐａｃｅ  ｍａｐ、ＷＳＭ）情報を伝送する方法において、
ホワイトスペースゾーン（ｗｈｉｔｅ  ｓｐａｃｅ  ｚｏｎｅ、ＷＳＺ）の情報を含むＷＳＭ要請フレームを前記第２のステーションから受信すること；
規制データベースから複数の位置での可用チャンネルの第１のリストを獲得すること；
前記可用チャンネルの第１のリストを用いてＷＳＺでの可用チャンネルの第２のリストを決定すること；及び
前記ＷＳＺでの前記可用チャンネルの第２のリストを含むＷＳＭ応答フレームを前記第２のステーションに伝送することを含み、
前記ＷＳＺは、共用可用チャンネルが設定された地域的位置である、ホワイトスペースマップ情報伝送方法。
（項目１４）
前記ＷＳＺは前記第２のステーションによって決定された、項目１３に記載のホワイトスペースマップ情報伝送方法。
（項目１５）
前記ＷＳＺでの可用チャンネルは、前記複数の位置での可用チャンネルの共用チャンネルである、項目１３に記載のホワイトスペースマップ情報伝送方法。
【国際調査報告】
2013524611.tif 000019
2013524611.tif 000020